【手続補正書】
【提出日】平成18年4月3日(2006.4.3)
【手続補正１】
【補正対象書類名】特許請求の範囲
【補正対象項目名】全文
【補正方法】変更
【補正の内容】
【特許請求の範囲】
【請求項１】
インターネット通信網を用いて、遠隔地に設置されたビデオカメラで撮像された画像を監視するユーザの操作に応じて、上記ビデオカメラの遠隔制御を行う制御装置において、
上記ビデオカメラの撮像方向を変更する撮像方向変更手段と、
上記ビデオカメラの画角を変更する画角変更手段と、
上記撮像方向変更手段及び上記画角変更手段を操作するための指示が入力される操作指示入力手段と、
上記ビデオカメラにより撮像された画像を表示する表示手段と
を備え、
上記表示手段は、上記撮像方向変更手段及び上記画角変更手段に対する操作により得られると予測されるプレビュー画像を、さらに表示し、
上記操作指示入力手段には、上記撮像方向変更手段及び上記画角変更手段の操作を決定する指示が入力される
ことを特徴とする制御装置。
【請求項２】
上記表示手段は、撮像可能な方向の範囲の全部または一部を分けて撮像した画像群を連結して広い範囲を見渡せるパノラマ画像を、さらに表示する
ことを特徴とする請求項１に記載の制御装置。
【請求項３】
上記表示手段は、上記画角及び上記撮像方向で上記撮像装置により現在撮像されている画像に対応する領域を、上記パノラマ画像上に表示する
ことを特徴とする請求項２に記載の制御装置。
【請求項４】
上記表示手段は、上記撮像装置により撮像可能な範囲において所定の撮影条件により撮像された基準画像を元にして行われる予測処理に基づく上記プレビュー画像を表示する
ことを特徴とする請求項１に記載の制御装置。
【請求項５】
インターネット通信網を用いて、遠隔地に設置されたビデオカメラで撮像された画像を監視するユーザの操作に応じて、上記ビデオカメラの遠隔制御を行う制御装置の制御方法において、
上記制御装置は、
上記ビデオカメラの撮像方向を変更する撮像方向変更手段と、
上記ビデオカメラの画角を変更する画角変更手段と、
上記撮像方向変更手段及び上記画角変更手段を操作するための指示が入力される操作指示入力手段と、
上記ビデオカメラにより撮像された画像を表示する表示手段と
を備え、
上記表示手段に、上記撮像方向変更手段及び上記画角変更手段に対する操作により得られると予測されるプレビュー画像を表示させ、
上記操作指示入力手段に、上記撮像方向変更手段及び上記画角変更手段の操作を決定する指示を入力させる
ステップを含むことを特徴とする制御方法。
【請求項６】
インターネット通信網を用いて、遠隔地に設置されたビデオカメラで撮像された画像を監視するユーザの操作に応じて、上記ビデオカメラの遠隔制御を行う制御装置が内蔵するコンピュータが実行するプログラムにおいて、
上記制御装置は、
上記ビデオカメラの撮像方向を変更する撮像方向変更手段と、
上記ビデオカメラの画角を変更する画角変更手段と、
上記撮像方向変更手段及び上記画角変更手段を操作するための指示が入力される操作指示入力手段と、
上記ビデオカメラにより撮像された画像を表示する表示手段と
を備え、
上記表示手段に、上記撮像方向変更手段及び上記画角変更手段に対する操作により得られると予測されるプレビュー画像を表示させ、
上記操作指示入力手段に、上記撮像方向変更手段及び上記画角変更手段の操作を決定する指示を入力させる
ステップを含むことを特徴とするプログラム。
【手続補正２】
【補正対象書類名】明細書
【補正対象項目名】発明の名称
【補正方法】変更
【補正の内容】
【発明の名称】制御装置、制御方法、およびプログラム
【手続補正３】
【補正対象書類名】明細書
【補正対象項目名】０００１
【補正方法】変更
【補正の内容】
【０００１】
本発明は、制御装置、制御方法、およびプログラムに関し、特に、撮像装置を制御する制御装置、制御方法、およびプログラムに関する。
【手続補正４】
【補正対象書類名】明細書
【補正対象項目名】０００９
【補正方法】変更
【補正の内容】
【０００９】
請求項１に記載の制御装置は、ビデオカメラの撮像方向を変更する撮像方向変更手段と、ビデオカメラの画角を変更する画角変更手段と、撮像方向変更手段及び画角変更手段を操作するための指示が入力される操作指示入力手段と、ビデオカメラにより撮像された画像を表示する表示手段とを備え、表示手段は、撮像方向変更手段及び画角変更手段に対する操作により得られると予測されるプレビュー画像を、さらに表示し、操作指示入力手段には、撮像方向変更手段及び画角変更手段の操作を決定する指示が入力されることを特徴とする。
【手続補正５】
【補正対象書類名】明細書
【補正対象項目名】００１０
【補正方法】変更
【補正の内容】
【００１０】
請求項５に記載の制御方法は、制御装置は、ビデオカメラの撮像方向を変更する撮像方向変更手段と、ビデオカメラの画角を変更する画角変更手段と、撮像方向変更手段及び画角変更手段を操作するための指示が入力される操作指示入力手段と、ビデオカメラにより撮像された画像を表示する表示手段とを備え、表示手段に、撮像方向変更手段及び画角変更手段に対する操作により得られると予測されるプレビュー画像を表示させ、操作指示入力手段に、撮像方向変更手段及び画角変更手段の操作を決定する指示を入力させるステップを含むことを特徴とする。
【手続補正６】
【補正対象書類名】明細書
【補正対象項目名】００１１
【補正方法】変更
【補正の内容】
【００１１】
請求項６に記載のプログラムは、制御装置は、ビデオカメラの撮像方向を変更する撮像方向変更手段と、ビデオカメラの画角を変更する画角変更手段と、撮像方向変更手段及び画角変更手段を操作するための指示が入力される操作指示入力手段と、ビデオカメラにより撮像された画像を表示する表示手段とを備え、表示手段に、撮像方向変更手段及び画角変更手段に対する操作により得られると予測されるプレビュー画像を表示させ、操作指示入力手段に、撮像方向変更手段及び画角変更手段の操作を決定する指示を入力させるステップを含むことを特徴とする。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】変更
【補正の内容】
【００１８】
請求項１に記載の制御装置、請求項５に記載の制御方法、および、請求項６に記載のプログラムにおいては、制御装置には、ビデオカメラの撮像方向を変更する撮像方向変更手段と、ビデオカメラの画角を変更する画角変更手段と、撮像方向変更手段及び画角変更手段を操作するための指示が入力される操作指示入力手段と、ビデオカメラにより撮像された画像を表示する表示手段とが備えられている。そして、表示手段に、撮像方向変更手段及び画角変更手段に対する操作により得られると予測されるプレビュー画像が表示され、操作指示入力手段に、撮像方向変更手段及び画角変更手段の操作を決定する指示が入力される。
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】変更
【補正の内容】
【００２１】
請求項１に記載の制御装置、請求項５に記載の制御方法、および、請求項６に記載のプログラムによれば、撮像装置を円滑に制御することが可能となる。
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】